【手続補正書】
【提出日】平成21年6月15日(2009.6.15)
【手続補正１】
【補正対象書類名】特許請求の範囲
【補正対象項目名】全文
【補正方法】変更
【補正の内容】
【特許請求の範囲】
【請求項１】
排泄物を受け入れるための第１の開口部を一面に設けた第１の袋体と、該第１の袋体の前記第１の開口部の周囲に同芯状に接合された第１のリング状フランジとを具備するオストミーパウチにおいて、
前記第１の袋体が内面に耐水層を設け水中崩壊性基材で裏打ちされた水中崩壊性シートからなり、
前記第１のリング状フランジが前記第１の袋体と接合された面の反対側の面に耐水層を設け水中崩壊性基材で裏打ちされた水中崩壊性シートからなり、
前記第１の開口部と前記第１のリング状フランジとの内周面に沿って前記水中崩壊性基材を覆う耐水性のバリアー部材が設けられていることを特徴とするオストミーパウチ。
【請求項２】
前記バリアー部材が前記第１の袋体と第１のリング状フランジの間に延在していることを特徴とする請求項１に記載のオストミーパウチ。
【請求項３】
前記バリアー部材が熱可塑性樹脂を主成分とする組成物または熱可塑性樹脂と脆性付与成分とを主成分とする組成物からなることを特徴とする請求項１に記載のオストミーパウチ。
【請求項４】
前記第１の袋体と前記第１のリング状フランジに設けた耐水層が熱可塑性樹脂を主成分とする組成物または熱可塑性樹脂と脆性付与成分とを主成分とする組成物からなることを特徴とする請求項１に記載のオストミーパウチ。
【請求項５】
前記第１のリング状フランジに設けた耐水層が粘着剤からなることを特徴とする請求項１に記載のオストミーパウチ。
【請求項６】
排泄物を受け入れるための第１の開口部を一面に設けた第１の袋体と、該第１の袋体の前記第１の開口部の周囲に同芯状に接合された第１のリング状フランジとを具備し、前記第１の袋体と前記第１のリング状フランジが水中崩壊性基材の一面に熱可塑性樹脂からなる耐水層を設けた水中崩壊性シートからなるオストミーパウチの製造方法において、
熱可塑性樹脂からなるリング状部材を準備し、
前記袋体を構成すべき第１の開口が形成されたシート部材と前記第１のリング状フランジとを前記耐水層を設けた面を外側にかつ該シート部材の前記第１の開口部の周囲に同芯状に前記第１のリング状フランジを配置し、
さらに前記熱可塑性樹脂からなるリング状部材を前記第１の開口部の内周面に接して同芯状に配置し、
次いで前記熱可塑性樹脂からなるリング状部材を熱プレスして溶融させ前記第１の開口部と前記第１のリング状フランジとの内周面を覆って密着させ、
次いで前記シート部材から袋体を形成することを特徴とするオストミーパウチの製造方法。
【請求項７】
排泄物を受け入れるための第１の開口部を一面に設けた第１の袋体と、該第１の袋体の前記第１の開口部の周囲に同芯状に接合された第１のリング状フランジとを具備し、前記第１の袋体と前記第１のリング状フランジが水中崩壊性基材の一面に熱可塑性樹脂からなる耐水層を設けた水中崩壊性シートからなるオストミーパウチの製造方法において、
前記袋体を構成すべき第１の開口が形成されたシート部材と前記第１のリング状フランジとを前記耐水層を設けた面を外側にかつ該シート部材の前記第１の開口部の周囲に同芯状に前記第１のリング状フランジを接合し、
該接合された前記シート部材と前記第１のフランジとを前記第１の開口部と前記第１のリング状フランジとの内周面に隣接するリング状のキャビテイを有する金型に配置し、
前記リング状のキャビテイに熱可塑性樹脂を注入することにより前記第１の開口部と前記第１のリング状フランジとの内周面を前記熱可塑性樹脂によって覆って密着させ、
次いで前記シート部材から袋体を形成することを特徴とするオストミーパウチの製造方法。
【請求項８】
排泄物を受け入れるための第１の開口部を設けた第１の袋体と該第１の袋体の前記第１の開口部の周囲に同芯状に接合された第１のリング状フランジとを具備するオストミーパウチと、
ストーマの周囲に固定され非接皮側に第１のリング状嵌合部を設けた面板と、
該第１のリング状嵌合部に嵌合する第２のリング状嵌合部と該第２のリング状嵌合部から径方向内側に延在するリング状内側フランジとを有する第２のリング状フランジと該第２のリング状フランジに取り付けられた第２の袋体からなる外袋とを具備し、
前記第１と第２のリング状フランジを同芯状に密着して配置して前記第１の袋体を前記第２の袋体の内部に収容可能であり、
前記第１と第２のリング状嵌合部を嵌合したときに前記リング状内側フランジが前記第１のリング状フランジを前記面板に押圧して固定することを特徴とするオストミー装具。
【手続補正２】
【補正対象書類名】明細書
【補正対象項目名】００１３
【補正方法】変更
【補正の内容】
【００１３】
本発明によれば、上記課題は以下により達成される。
即ち、本発明は、排泄物を受け入れるための第１の開口部を一面に設けた第１の袋体と、該第１の袋体の前記第１の開口部の周囲に同芯状に接合された第１のリング状フランジとを具備するオストミーパウチにおいて、前記第１の袋体が内面に耐水層を設け水中崩壊性基材で裏打ちされた水中崩壊性シートからなり、前記第１のリング状フランジが前記第１の袋体と接合された面の反対側の面に耐水層を設け水中崩壊性基材で裏打ちされた水中崩壊性シートからなり、前記第１の開口部と前記第１のリング状フランジとの内周面に沿って前記水中崩壊性基材を覆う耐水性のバリアー部材が設けられている構成とする。
【手続補正３】
【補正対象書類名】明細書
【補正対象項目名】００１４
【補正方法】変更
【補正の内容】
【００１４】
本発明は、前記バリアー部材が前記第１の袋体と第１のリング状フランジの間に延在している構成とすることもできる。また、前記バリアー部材が熱可塑性樹脂を主成分とする組成物または熱可塑性樹脂と脆性付与成分とを主成分とする組成物からなる構成とすることもできる。さらに、前記第１の袋体と前記第１のリング状フランジに設けた耐水層が熱可塑性樹脂を主成分とする組成物または熱可塑性樹脂と脆性付与成分とを主成分とする組成物からなる構成とすることもできる。また、前記第１のリング状フランジに設けた耐水層が粘着剤からなる構成とすることもできる。さらに、前記第１の袋体を構成する水中崩壊性基材が水中崩壊紙であって、前記第１の袋体の両側部に折り目が形成され、該折り目が形成されていない両側部が融着されてシールされている構成とすることもできる。また、前記折り目がガセットである構成とすることもできる。さらに、前記第１の袋体の折り目を形成した両側部の間の幅が前記第１のフランジの外径よりも狭い構成とすることもできる。
【手続補正４】
【補正対象書類名】明細書
【補正対象項目名】００１５
【補正方法】変更
【補正の内容】
【００１５】
本発明は、排泄物を受け入れるための第１の開口部を一面に設けた第１の袋体と、該第１の袋体の前記第１の開口部の周囲に同芯状に接合された第１のリング状フランジとを具備し、前記第１の袋体と前記第１のリング状フランジが水中崩壊性基材の一面に熱可塑性樹脂からなる耐水層を設けた水中崩壊性シートからなるオストミーパウチの製造方法において、熱可塑性樹脂からなるリング状部材を準備し、前記袋体を構成すべき第１の開口が形成されたシート部材と前記第１のリング状フランジとを前記耐水層を設けた面を外側にかつ該シート部材の前記第１の開口部の周囲に同芯状に前記第１のリング状フランジを配置し、さらに前記熱可塑性樹脂からなるリング状部材を前記第１の開口部の内周面に接して同芯状に配置し、次いで前記熱可塑性樹脂からなるリング状部材を熱プレスして溶融させ前記第１の開口部と前記第１のリング状フランジとの内周面を覆って密着させ、次いで前記シート部材から袋体を形成する。
【手続補正５】
【補正対象書類名】明細書
【補正対象項目名】００１６
【補正方法】変更
【補正の内容】
【００１６】
本発明は、排泄物を受け入れるための第１の開口部を一面に設けた第１の袋体と、該第１の袋体の前記第１の開口部の周囲に同芯状に接合された第１のリング状フランジとを具備し、前記第１の袋体と前記第１のリング状フランジが水中崩壊性基材の一面に熱可塑性樹脂からなる耐水層を設けた水中崩壊性シートからなるオストミーパウチの製造方法において、前記袋体を構成すべき第１の開口が形成されたシート部材と前記第１のリング状フランジとを前記耐水層を設けた面を外側にかつ該シート部材の前記第１の開口部の周囲に同芯状に前記第１のリング状フランジを接合し、該接合された前記シート部材と前記第１のフランジとを前記第１の開口部と前記第１のリング状フランジとの内周面に隣接するリング状のキャビテイを有する金型に配置し、前記リング状のキャビテイに熱可塑性樹脂を注入することにより前記第１の開口部と前記第１のリング状フランジとの内周面を前記熱可塑性樹脂によって覆って密着させ、次いで前記シート部材から袋体を形成する。
【手続補正６】
【補正対象書類名】明細書
【補正対象項目名】００１７
【補正方法】変更
【補正の内容】
【００１７】
本発明は、前記水中崩壊性基材が水中崩壊紙であって、前記シート部材を前記第１のリング状フランジの外周近傍の両側において折り目を形成し、該折り目を形成して近接した両端部の耐水層同士をヒートシールし、該折り目を形成しない他方の両端部の耐水層同士をヒートシールして袋体を形成することもできる。また、前記袋体の幅が前記第１のリング状フランジの外径よりも狭くなるように前記両側部に折り目を形成することもできる。さらに、前記両端部に形成した折り目の少なくとも一方がガセットにすることもできる。
【手続補正７】
【補正対象書類名】明細書
【補正対象項目名】００１８
【補正方法】変更
【補正の内容】
【００１８】
本発明は、排泄物を受け入れるための第１の開口部を設けた第１の袋体と該第１の袋体の前記第１の開口部の周囲に同芯状に接合された第１のリング状フランジとを具備するオストミーパウチと、ストーマの周囲に固定され非接皮側に第１のリング状嵌合部を設けた面板と、該第１のリング状嵌合部に嵌合する第２のリング状嵌合部と該第２のリング状嵌合部から径方向内側に延在するリング状内側フランジとを有する第２のリング状フランジと該第２のリング状フランジに取り付けられた第２の袋体からなる外袋とを準備し、前記第１と第２のリング状フランジを同芯状に密着して配置して前記第１の袋体を前記第２の袋体の内部に収容し、前記第１と第２のリング状嵌合部を嵌合したときに前記リング状内側フランジが前記第１のリング状フランジを前記面板に押圧して固定する構成とする。
【手続補正８】
【補正対象書類名】明細書
【補正対象項目名】００１９
【補正方法】変更
【補正の内容】
【００１９】
本発明は、排泄物を受け入れるための第１の開口部を設けた第１の袋体と該第１の袋体の前記第１の開口部の周囲に同芯状に接合された第１のリング状フランジとを具備するオストミーパウチと、ストーマの周囲に固定され非接皮側に第１のリング状嵌合部を設けた面板と、該第１のリング状嵌合部に嵌合する第２のリング状嵌合部と該第２のリング状嵌合部から径方向内側に延在するリング状内側フランジとを有する第２のリング状フランジと該第２のリング状フランジに取り付けられた第２の袋体からなる外袋とを具備し、前記第１と第２のリング状フランジを同芯状に密着して配置して前記第１の袋体を前記第２の袋体の内部に収容可能であり、前記第１と第２のリング状嵌合部を嵌合したときに前記リング状内側フランジが前記第１のリング状フランジを前記面板に押圧して固定する構成とする。
【手続補正９】
【補正対象書類名】明細書
【補正対象項目名】００２０
【補正方法】変更
【補正の内容】
【００２０】
本発明は、ストーマの周囲に固定され非接皮側に第１のリング状嵌合部を設けた面板と、該第１のリング状嵌合部に嵌合する第２のリング状嵌合部と該第２のリング状嵌合部から径方向内側に延在するリング状内側フランジとを有する第２のリング状フランジと該第２のリング状フランジに取り付けられた第２の袋体からなるパウチとを具備し、前記リング状内側フランジの径方向の幅が２〜１０ｍｍであり、前記第１と第２のリング状嵌合部を嵌合したときに前記リング状内側フランジが前記面板を押圧する構成とする。さらに、第２のリング状嵌合部と該第２のリング状嵌合部から径方向内側に延在するリング状内側フランジとを有する第２のリング状フランジと該第２のリング状フランジに取り付けられた第２の袋体からなるパウチであって、前記リング状内側フランジの径方向の幅が２〜１０ｍｍであり、前記第２のリング状嵌合部が面板に設けられた嵌合部と嵌合したときに前記リング状内側フランジが前記面板を押圧する構成とすることもできる。